(57)【要約】【課題】タイミングずれのある環境でも伝送路推定値を高い精度で算出可能な伝送路等化装置などを提供する。【解決手段】第一の伝送路推定部２1〜２Lはマルチパス信号から、パスサーチ部１のパスタイミングに従って複数の第一の伝送路推定値を求める。パスタイミング調整部５は、パスサーチ部１の検出パスのうち、サンプリングレート低減で消失するサンプルのタイミングを判定し、最も近い消失しないパス位置を出力して第二の伝送路推定部２L+1〜２L+Nに割り当てる。第一の伝送路推定値補正部６は、第一の伝送路推定値から伝送路相互のサイドローブ成分の漏れ込みを除去して第一の補正伝送路推定値を算出する。第二の伝送路推定値補正部１６は、第一の補正伝送路推定値を用いて同一パス以外の伝送路からのサイドローブ成分の漏れ込みを求め、第二の伝送路推定値から引いて第二の伝送路推定値を補正する。【選択図】図１
2007104502.tif 000002
【特許請求の範囲】
【請求項１】
マルチパスの伝送路からの受信信号を等化する伝送路等化装置であって、
前記受信信号からマルチパスのパスタイミングを検出するパスサーチ部と、
前記パスタイミングにおける第一の伝送路推定値を求める第一の伝送路推定部と、
前記第一の伝送路推定部で求めた前記第一の伝送路推定値から、前記伝送路相互のサイドローブ成分の漏れ込みを除去して、前記第一の伝送路推定値を補正する第一の伝送路推定値補正部と、
前記パスタイミングが等化部のサンプルレートにおいて消失するタイミングかどうかを判定し、消失するタイミングの場合は、近くの消失しないサンプルの調整タイミングを出力するパスタイミング調整部と、
前記調整タイミングにおける伝送路を推定し、第二の伝送路推定値を求める第二の伝送路推定部と、
前記第二の伝送路推定部で求めた前記第二の伝送路推定値から、前記伝送路相互のサイドローブ成分の漏れ込みを除去して、前記第二の伝送路推定値を補正する第二の伝送路推定値補正部と、
前記パスサーチ部への受信信号をデシメートして前記等化部への入力信号のサンプルレートを低減するデシメーション部と、
前記第一および第二の伝送路補正値を用いて等化ウェイトを計算し、前記受信信号を等化する前記等化部を有する伝送路等化装置。
【請求項２】
前記第一および第二の伝送路推定部は、
前記パスタイミングおよび前記調整タイミングにおいて、既知のパターンを受信信号に乗算して逆拡散するパイロット逆拡散部と、その結果を平均する平均部を有する請求項１に記載の伝送路等化装置。
【請求項３】
前記第一の伝送路推定値補正部は、
前記パスタイミングによる伝送路相互のタイミング差から前記伝送路相互の前記サイドローブ成分の漏れ込み量を示す相関行列を生成するサイドローブ相関行列生成部と、
前記サイドローブ相関行列生成部で生成された前記相関行列の逆行列を求める逆行列演算部と、
前記逆行列演算部で得られた前記逆行列と前記第一の伝送路推定部で得られた前記伝送路推定値の積和を演算することにより前記第一の伝送路推定値から前記サイドローブ成分の漏れ込みを除去するデコリレート演算部とを有する請求項２に記載の伝送路等化装置。
【請求項４】
前記第二の伝送路推定値補正部は、
前記パスタイミングおよび前記調整タイミングによる相互のタイミング差から、前記第一の補正伝送路推定値によって前記サイドローブ成分の漏れ込み量を算出し、同一伝送路以外のサイドローブ成分を前記第二の伝送路推定値から減算して除去する機能を有する請求項３に記載の伝送路等化装置。
【請求項５】
マルチパスの伝送路からの受信信号を等化する伝送路等化装置であって、
前記受信信号からマルチパスのパスタイミングを検出するパスサーチ部と、
前記パスタイミングにおける第一の伝送路推定値を求める第一の伝送路推定部と、
前記第一の伝送路推定部で求めた前記第一の伝送路推定値から、前記伝送路相互のサイドローブ成分の漏れ込みを除去して、前記第一の伝送路推定値を補正する第一の伝送路推定値補正部と、
前記パスタイミングに近接する複数の追加タイミングを出力する隣接タイミング追加部と、
前記追加タイミングにおける伝送路を推定し、第二の伝送路推定値を求める第二の伝送路推定部と、
前記第二の伝送路推定部で求めた前記第二の伝送路推定値から、前記伝送路相互のサイドローブ成分の漏れ込みを除去して、前記第二の伝送路推定値を補正する第二の伝送路推定値補正部と、
前記第一および第二の伝送路補正値を用いて等化ウェイトを計算し、受信信号を等化する等化部を有する伝送路等化装置。
【請求項６】
前記第一および第二の伝送路推定部は、
前記パスタイミングおよび前記追加タイミングにおいて、既知のパターンを受信信号に乗算して逆拡散するパイロット逆拡散部と、その結果を平均する平均部を有する請求項５に記載の伝送路等化装置。
【請求項７】
前記第一の伝送路推定値補正部は、
前記パスタイミングによる伝送路相互のタイミング差から前記伝送路相互の前記サイドローブ成分の漏れ込み量を示す相関行列を生成するサイドローブ相関行列生成部と、
前記サイドローブ相関行列生成部で生成された前記相関行列の逆行列を求める逆行列演算部と、
前記逆行列演算部で得られた前記逆行列と前記第一の伝送路推定部で得られた前記伝送路推定値の積和を演算することにより前記第一の伝送路推定値から前記サイドローブ成分の漏れ込みを除去するデコリレート演算部とを有する請求項６に記載の伝送路等化装置。
【請求項８】
前記第二の伝送路推定値補正部は、
前記パスタイミングおよび前記追加タイミングによる相互のタイミング差から、前記第一の補正伝送路推定値によって前記サイドローブ成分の漏れ込み量を算出し、同一伝送路以外のサイドローブ成分を前記第二の伝送路推定値から減算して除去する機能を有する請求項７に記載の伝送路等化装置。
【請求項９】
前記パスタイミングに近接する複数の追加タイミングを出力する隣接タイミング追加部を有し、
前記第二の伝送路推定部は前記調整タイミングに加え、前記追加タイミングにおける伝送路を推定し、前記第二の伝送路推定値を求めることを特徴とする請求項１に記載の伝送路等化装置。
【請求項１０】
前記第一および第二の伝送路推定部は、
前記パスタイミングおよび前記調整タイミングおよび前記追加タイミングにおいて、既知のパターンを受信信号に乗算して逆拡散するパイロット乗算部と、その結果を平均する平均部を有する請求項９に記載の伝送路等化装置。
【請求項１１】
前記第一の伝送路推定値補正部は、
前記パスタイミングによる伝送路相互のタイミング差から前記伝送路相互の前記サイドローブ成分の漏れ込み量を示す相関行列を生成するサイドローブ相関行列生成部と、
前記サイドローブ相関行列生成部で生成された前記相関行列の逆行列を求める逆行列演算部と、
前記逆行列演算部で得られた前記逆行列と前記第一の伝送路推定部で得られた前記伝送路推定値の積和を演算することにより前記第一の伝送路推定値から前記サイドローブ成分の漏れ込みを除去するデコリレート演算部とを有する請求項１０に記載の伝送路等化装置。
【請求項１２】
前記第二の伝送路推定値補正部は、
前記パスタイミングおよび前記調整タイミングおよび前記追加タイミングによる相互のタイミング差から、前記第一の補正伝送路推定値によって前記サイドローブ成分の漏れ込み量を算出し、同一伝送路以外のサイドローブ成分を前記第二の伝送路推定値から減算して除去する機能を有する請求項１１に記載の伝送路等化装置。
【請求項１３】
マルチパスの伝送路からの受信信号を等化する伝送路等化装置における伝送路等化方法であって、
前記受信信号からマルチパスのパスタイミングを検出するパスサーチ工程と、
前記パスタイミングに対応する第一の伝送路推定値を求める第一の伝送路推定工程と、
前記第一の伝送路推定工程で求められた前記第一の伝送路推定値から、前記伝送路相互のサイドローブ成分の漏れ込みを除去して、前記第一の伝送路推定値を補正する第一の伝送路推定値補正工程と、
前記パスタイミングが等化工程のサンプルレートにおいて消失するサンプルのタイミングかどうかを判定し、消失するタイミングの場合は、近くの消失しないサンプルの調整タイミングを出力するパスタイミング調整工程と、
前記調整タイミングの伝送路を推定し、第二の伝送路推定値を求める第二の伝送路推定工程と、
前記第二の伝送路推定工程で求められた前記第二の伝送路推定値から、前記伝送路相互のサイドローブ成分の漏れ込みを除去して、前記第二の伝送路推定値を補正する第二の伝送路推定値補正工程と、
前記パスサーチ工程への受信信号をデシメートして前記等化工程への入力信号のサンプルレートを低減するデシメーション工程と、
前記第一および第二の伝送路補正値を用いて等化ウェイトを計算し、前記受信信号を等化する前記等化工程を有する伝送路等化方法。
【請求項１４】
マルチパスの伝送路からの受信信号を等化する伝送路等化装置における伝送路等化方法であって、
前記受信信号からマルチパスのパスタイミングを検出するパスサーチ工程と、
前記パスタイミングに対応する第一の伝送路推定値を求める第一の伝送路推定工程と、
前記第一の伝送路推定工程で求められた前記第一の伝送路推定値から、前記伝送路相互のサイドローブ成分の漏れ込みを除去して、前記第一の伝送路推定値を補正する第一の伝送路推定値補正工程と、
前記パスタイミングに近接する複数の追加タイミングを出力する隣接タイミング追加工程と、
前記追加タイミングにおける伝送路を推定し、第二の伝送路推定値を求める第二の伝送路推定工程と、
前記第二の伝送路推定工程で求められた前記第二の伝送路推定値から、前記伝送路相互のサイドローブ成分の漏れ込みを除去して、前記第二の伝送路推定値を補正する第二の伝送路推定値補正工程と、
前記第一および第二の伝送路補正値を用いて等化ウェイトを計算し、受信信号を等化する等化工程を有する伝送路等化方法。
【請求項１５】
前記パスタイミングに近接する複数の追加タイミングを出力する隣接タイミング追加工程を有し、
前記第二の伝送路推定工程において、前記調整タイミングに加え、前記追加タイミングにおける伝送路を推定し、前記第二の伝送路推定値を求めることを特徴とする請求項１３に記載の伝送路等化方法。
【発明の詳細な説明】
【技術分野】
【０００１】
本発明は、主にＣＤＭＡ受信装置に用いられる、伝送路推定の精度を高めた伝送路等化装置および伝送路等化方法に関する。
【背景技術】
【０００２】
ＤＳ−ＣＤＭＡ（Direct Sequence-Code Division Multiple Access）方式は、マルチセル環境において他セル干渉を効果的に抑圧することができる。これにより、ＤＳ−ＣＤＭＡ方式は、隣接セルで同一周波数を用いる、いわゆる１セル繰り返しの周波数配置を実現できるため、移動通信の無線アクセス方式として好適に用いられている。
【０００３】
また、ＣＤＭＡ方式では、逆拡散を行う際、伝送路のマルチパスを分離し、Ｒａｋｅ合成することでパスダイバーシチ効果を得ることができる。
【０００４】
しかし、移動通信では、近年、音声通信に加え、データ通信のトラヒックが増加してきており、大容量化および高速化が望まれている。そして、大容量化および高速化を可能にするためマルチコードを用いた伝送が要求されている。ところが、ＣＤＭＡ方式においてマルチコード伝送を行うと、実効の拡散利得が小さくなり、マルチパス干渉を抑圧する効果が低下してしまうという問題がある。
【０００５】
そこで、伝送路の等化を行ってマルチコード間の直交性を回復してから逆拡散を行うことが検討されている。また、その等化方法として様々な方法が提案されており、サイドローブ除去を用いて伝送路推定を高精度に行う方法が提案されている（例えば、非特許文献１参照）。また、等化器としては、線形等化器の他に周波数変換を用いる等化方法がある（例えば、非特許文献２参照）。等化器は計算量が大きいため消費電力を増大させる事が問題だが、等化する信号のサンプリングレートを削減することによって、計算量を下げることができる。
【０００６】
また、パス検出誤りによるパスタイミングのずれを補償する方法として、複数パスサンプル法がある（例えば、非特許文献３参照）。
【０００７】
図６は、従来の伝送路推定値補正装置を用いたＣＤＭＡ受信装置の構成の１例を示すブロック図である。図６を参照すると、従来の伝送路推定値補正ＣＤＭＡ受信装置は、パスサーチ部１０１、伝送路推定部１０２1〜１０２L、等化部１０９を有している。
【０００８】
パスサーチ部１０１は、受信したＣＤＭＡ信号に多重されているパイロット信号を用いて伝送路の遅延プロファイルを生成し、遅延プロファイルから受信レベルの大きい複数のパスを検出する。パスサーチ部１０１で検出されたパスは各伝送路推定部１０２1〜１０２Lに割り当てられる。
【０００９】
伝送路推定部１０２1〜１０２Lの各々は、パイロット逆拡散部１０３およびシンボル平均部１０４を有している。例えば、伝送路推定部１０２1はパイロット逆拡散部１０３1およびシンボル平均部１０４1を有し、伝送路推定部１０２2はパイロット逆拡散部１０３2およびシンボル平均部１０４2を有し、以下同様である。
【００１０】
パイロット逆拡散部１０３1〜１０３Lは、パスサーチ部１０１により割り当てられたパスのタイミングに基づいて、既知のパターンを信号に乗算し、ＣＤＭＡ信号内のパイロット信号を逆拡散する。
【００１１】
シンボル平均部１０４1〜１０４Lは、パイロット逆拡散部１０３1〜１０３Lからパス毎のパイロット逆拡散信号を受け、そのパイロット逆拡散信号を複数シンボルに渡って平均することによりパス毎の伝送路推定値を算出する。
【００１２】
サイドローブ相関行列生成部１０６は、各パス間のタイミング差から、サイドローブ成分の漏れ込み量を示す相関行列を生成する。
【００１３】
例えば、３つのパスが近接して存在する場合、サイドローブ相関行列Ｒは式（１）に示すものとなる。
【数１】
2007104502.tif 000003
【００１４】
ここで、ｈRC（ｔ）はロールオフフィルタのインパルス応答であり、式（２）で示される。
【数２】
2007104502.tif 000004
ここでαはロールオフ率、ＴCはチップ周期である。
【００１５】
伝送路推定部１０２1〜１０２Lの出力である伝送路推定値
【数３】
2007104502.tif 000005
は、サイドローブ相関行列Ｒの要素と実際の伝送路値ｈiとの積和であり、式（３）に示される。
【数４】
2007104502.tif 000006
【００１６】
逆行列演算部１０７は、サイドローブ相関行列Ｒの逆行列を求める。
【００１７】
デコリレート演算部１０８は、式（４）により、Ｒの逆行列Ｒ-1の要素と伝送路推定値との積和を計算することにより、伝送路推定値の相互の漏れ込みを除去した実際の伝送路値ｈiを計算する。
【数５】
2007104502.tif 000007
【００１８】
等化部１０９は、等化ウェイト計算部１１０および等化フィルタ１１１を有している。
【００１９】
等化ウェイト計算部１１０は、伝送路推定部１０２1〜１０２Lから各パスの伝送路推定値を受け、等化フィルタ１１１で用いるウェイトを計算する。ウェイトＷの計算方法には様々なものがあり、例えば最小平均自乗誤差法（ＭＭＳＥ：Minimum Mean Square Error）を用いたものがある。ＭＭＳＥを用いれば式（５）によりウェイトＷを得ることができる。
【数６】
2007104502.tif 000008
【００２０】
ここで、
【数７】
2007104502.tif 000009
は、パス毎の伝送路推定値をパスタイミングに合わせて配置した伝送路行列であり、式（６）によって表される。
【数８】
2007104502.tif 000010
【００２１】
また、上付き添字のHは共役転置行列であることを示す。σ2は雑音電力である。
【００２２】
等化フィルタ１１１は、等化ウェイト計算部１１０で計算されたウェイトＷの中央行の行ベクトルをタップウェイトとして用いて信号の等化フィルタリングを行う。
【００２３】
図７は、等化フィルタ１１１の構成例を示す図である。図７を参照すると、等化フィルタ１１１は、ＦＩＲ（Finite Impulse Response）フィルタであり、遅延器２１1〜２１S-1、乗算器２２1〜２２S、および加算器２３で構成されている。
【００２４】
等化フィルタ１１１は、受信信号（ＣＤＭＡ信号）を遅延器２１1〜２１S-1によりサンプル単位で遅延させて各タップの出力を得て、各タップの出力に対して乗算器２２1〜２２Sでウェイトｗ0〜ｗS-1を乗算し、各乗算器２２1〜２２Sの出力を加算器２３で加算する。
【非特許文献１】松本，吉田，後川，"HSDPA端末用MMSEチップ等化器における高精度チャネル分離法の検討"信学全大Ｂ−５−１２０，２００５年３月．
【非特許文献２】D.Falconer et al.,”Frequency Domain Equalization for Single-Carrier Broadband Wireless System” IEEE Commun.Mag., vol.40, no.4, pp.58-66, Apr. 2002
【非特許文献３】松本，Thanh，吉田，Vasic，後川，"HSDPAにおけるブラインド雑音推定を用いたMMSE制御型チップ等化器"信学ソ大Ｂ−５−３０，２００４年９月．
【発明の開示】
【発明が解決しようとする課題】
【００２５】
等化器は計算量が大きいため消費電力を増大させる事が問題だが、等化する信号のサンプリングレートを削減することによって、計算量を下げることができる。一方、パス検出誤りや、信号のサンプリングレート低減によってパスタイミングがずれると、従来の伝送路推定値補正方法では、伝送路推定特性が大きく劣化する。また、パス検出誤りによるパスタイミングのずれを補償する方法として、複数パスサンプル法があるが、複数パスサンプル法と伝送路推定値補正法の併用については工夫が必要になる。
【００２６】
そこで上記事情を鑑みて、本発明の目的は、伝送路推定値を高い精度で算出可能な伝送路推定装置、およびその装置で使用される伝送路等化方法を提供することである。
【課題を解決するための手段】
【００２７】
上記目的を達成するために、本発明の伝送路等化装置は、マルチパスの伝送路を推定し等化する伝送路等化装置であって、マルチパスで到達する信号からパスタイミングを検出するパスサーチ部と、データのサンプリングレートを低減するデシメーション部と、前記パスタイミングがデシメーション後に消失するサンプルのタイミングかどうかを判定し、消失するサンプルのタイミングの場合は消失しない近くの調整タイミングを出力するパスタイミング調整部と、前記パスタイミングおよび前記調整タイミングに対応する複数の伝送路の第一および第二の伝送路推定値を求める第一および第二の伝送路推定部と、前記第一の伝送路推定部で求められた前記パスタイミングにおける第一の伝送路推定値から、前記伝送路相互のサイドローブ成分の漏れ込みを除去して、前記第一の伝送路推定値を補正する第一の伝送路推定値補正部と、また、前記第一の補正伝送路推定値から、同一パス以外の検出パスのサイドローブ成分の漏れ込みを算出し、前記調整タイミングにおける第二の伝送路推定値から減算することによって補正する第二の伝送路推定値補正部を有している。
【００２８】
したがって、本発明によれば、サンプリングレート低減によってパスタイミングのサンプリングが消失する場合にも、第一の伝送路推定値補正部がパスタイミングにおいて第一の伝送路推定部が求めた第一の各伝送路推定値より、伝送路間相互のサイドローブ成分の漏れ込みを除去し、また、第二の伝送路推定値補正部が前記第一の補正伝送路推定値を用いて第二の伝送路推定値から同一パス以外のサイドローブ成分の漏れ込みを除去するように機能する。
【００２９】
また、前記第一の伝送路推定値補正部において、前記第一の伝送路推定部で得られた複数の前記パスタイミングの前記伝送路推定値と前記複数の伝送路相互のタイミング差とを用いて、前記伝送路推定値から前記伝送路相互の前記サイドローブ成分の漏れ込みを繰り返し除去して値を求めることとしてもよい。
【００３０】
ここで、前記第一および第二の伝送路推定部において、前記パスタイミングおよび前記調整タイミングにおいて、既知のパターンを受信信号に乗算して逆拡散するパイロット逆拡散部と、その結果を平均する平均部を有することとしてもよい。
【００３１】
また、前記第一の伝送路推定値補正部において、前記複数の伝送路相互のタイミング差から前記サイドローブ成分の漏れ込みを示す相関行列を生成するサイドローブ相関行列生成部と、前記サイドローブ相関行列生成部で生成された前記相関行列の逆行列を求める逆行列演算部と、前記逆行列演算部で得られた前記逆行列と前記伝送路推定部で得られた前記伝送路推定値の積和を演算することにより前記第一の伝送路推定値から前記サイドローブ成分の漏れ込みを除去するデコリレート演算部とを有することとしてもよい。
【００３２】
また、第二の伝送路推定値補正部において、前記パスタイミングおよび前記調整タイミングによる相互のタイミング差から、前記第一の補正伝送路推定値によって前記サイドローブ成分の漏れ込み量を算出し、同一伝送路以外のサイドローブ成分を前記第二の伝送路推定値から減算して除去することとしてもよい。
【発明の効果】
【００３３】
本発明によれば、各伝送路推定値から伝送路間相互のサイドローブ成分の漏れ込みを除去する高精度伝送路推定を行うので、データサンプリングレートの低減またはパス検出誤りによって生じる伝送路推定値のパスタイミング位置ずれによる劣化を低減できる。なお、本発明は特にＣＤＭＡ受信装置に用いられる伝送路推定装置に関するものであるが、帯域制限を用いる他の通信方式の受信装置でも同様の効果があることは言うまでもない。
【発明を実施するための最良の形態】
【００３４】
本発明を実施するための形態について図面を参照して詳細に説明する。
【００３５】
図１は、本発明の第１の実施形態による伝送路等化装置を示すブロック図である。図１を参照すると、この実施形態の伝送路等化装置は、パスサーチ部１、第一および第二の伝送路推定部２1〜２L、２L+1〜２L+N、第一の伝送路推定値補正部６、第二の伝送路推定値補正部１６および等化部１１などを有している。
【００３６】
パスサーチ部１は、ＣＤＭＡ受信信号に多重されたパイロット信号を用いて伝送路の遅延プロファイルを生成し、遅延プロファイルから受信レベルの大きい複数のパスを検出する。
【００３７】
第一および第二の伝送路推定部２1〜２L+Nの各々は、パイロット逆拡散部３およびシンボル平均部４を有している。例えば、伝送路推定部２1はパイロット逆拡散部３1およびシンボル平均部４1を有し、伝送路推定部２2はパイロット逆拡散部３2およびシンボル平均部４2を有し、以下同様である。
【００３８】
パイロット逆拡散部３1〜３L+Nは、パスサーチ部１により割り当てられたパスのタイミングに基づいて、既知のパターンを信号に乗算し、ＣＤＭＡ信号内のパイロット信号を逆拡散する。
【００３９】
シンボル平均部４1〜４L+Nは、パイロット逆拡散部３1〜３L+Nからパス毎のパイロット逆拡散信号を受け、そのパイロット逆拡散信号を複数シンボルに渡って平均することによりパス毎の伝送路推定値を算出する。
【００４０】
パスタイミング調整部５は、パスサーチ部１で検出された複数のパスタイミングが、デシメーション部１４によって消失するサンプルのタイミングかどうかを判定し、パスタイミングが消失する場合は、最も近い消失しないタイミングを追加して第二の伝送路推定部２L〜２L+Nに割り当てる。
【００４１】
図２は、フィルターのインパルス応答とマルチパスとサンプリングの関係の一例を示す模式図である。
【００４２】
（ａ）にはデシメーション前のタイミングを白丸で示し、サンプリングレートを１／２にしたデシメーション後のタイミングを黒丸で示す。パスサーチ部１の検出タイミングτ0、τ1、τ2のうち、τ1、τ2はデシメーション後にサンプルが消失するタイミングである。そのため、パスタイミング調整部５は、（ｂ）に示すように、消失しない近くのサンプルタイミングτ'1、τ'2を設定する。
【００４３】
デシメーション部１４は、入力サンプリングレートに対し、等化フィルタ１３の動作レートを低減するためにデータを間引いてサンプリングレートを低減する。
【００４４】
第一の伝送路推定値補正部６は、サイドローブ相関行列生成部７、逆行列演算部８、デコリレート演算部９を有している。
【００４５】
サイドローブ相関行列生成部７は、検出パス間のタイミング差から、サイドローブ成分の漏れ込み量を示す相関行列を生成する。
【００４６】
逆行列演算部８は、サイドローブ相関行列Ｒの逆行列を求める。デコリレート演算部９は、Ｒの逆行列Ｒ-1の要素と第一の伝送路推定値
【数９】
2007104502.tif 000011
との積和を計算することにより、第一の伝送路推定値の相互の漏れ込みを除去した第一の補正伝送路推定値ｈiを計算する。
【００４７】
第二の伝送路推定値補正部１６は、サイドローブ引き算部１０を有している。
【００４８】
サイドローブ引き算部１０は、追加タイミングτ'1、τ'2の第二の伝送路推定値
【数１０】
2007104502.tif 000012
から、同一パス以外のパスのサイドローブの影響を差し引き、補正する。第二の補正伝送路推定値ｈ'1、ｈ'2は、式（７）で算出される。
【数１１】
2007104502.tif 000013
【００４９】
また、等化部１１の等化ウェイト計算部１２は、第一および第二の補正伝送路推定値からデシメーション部で消失しないタイミングの補正伝送路推定値ｈ0、ｈ'1、ｈ'2を選択し、デシメーションされたサンプリングに合わせて行列配置し、ウェイト計算を行い、等化フィルタ１３に係数としてセットする。等化ウェイト計算部１２で用いる伝送路行列は、式（８）のようになる。
【数１２】
2007104502.tif 000014
【００５０】
デシメーション部１４で間引かれた信号を、等化フィルタ１３によって等化し、マルチパスの影響を除去する。
【００５１】
図３は、本発明の第２の実施形態による伝送路等化装置を示すブロック図である。図３を参照すると、この実施形態の伝送路等化装置は、パスサーチ部１、第一および第二の伝送路推定部２1〜２L、２L+1〜２L+M、第一の伝送路推定値補正部６、第二の伝送路推定値補正部１６、および等化部１１などを有している。
【００５２】
パスサーチ部１、第一および第二の伝送路推定部２1〜２L+M、サイドローブ相関行列生成部７、逆行列演算部８、デコリレート演算部９、サイドローブ引き算部１０および等化フィルタ１３は、図１に示した第１の実施形態と同様のものである。
【００５３】
隣接タイミング追加部１５は、複数パスサンプル法に従ってパスタイミングの近接タイミングを付加する。例えばパスサンプル数Ｎps＝３の場合、１つのパスに対して各々３つの伝送路推定値をウェイト計算に用いるため、パス毎に２つのタイミングが付加される。第二の伝送路推定部２L+1〜２L+Mは、付加タイミングτ'0-、τ'0+、τ'1-、τ'1+、τ'2-、τ'2+で伝送路推定を行った第二の伝送路推定値
【数１３】
2007104502.tif 000015
を算出する。
【００５４】
サイドローブ引き算部１０は、第二の伝送路推定値から、その同一パス以外の第一の補正伝送路推定値を用いて他パスのサイドローブの影響を減算する。式（９）によって、第二の補正伝送路推定値を出力する。
【数１４】
2007104502.tif 000016
【００５５】
図４はパスタイミングと複数パスサンプル法の関係の一例を示す模式図である。（ａ）に示すように、第一パスのサイドローブの影響は、第一の伝送路推定値と同様に第二の伝送路推定値に漏れ込む。このとき、ウェイト計算部で用いる伝送路行列は、式（１０）のようになる。
【数１５】
2007104502.tif 000017
【００５６】
図５は、本発明の第３の実施形態による伝送路等化装置を示すブロック図である。図５を参照すると、この実施形態の伝送路等化装置は、パスサーチ部１、第一および第二の伝送路推定部２1〜２L、２L+1〜２L+M+N、第一の伝送路推定値補正部６、第二の伝送路推定値補正部１６、および等化部１１などを有している。
【００５７】
パスサーチ部１、第一および第二の伝送路推定部２1〜２L、２L+1〜２L+M+N、サイドローブ相関行列生成部７、逆行列演算部８、デコリレート演算部９、サイドローブ引き算部１０、デシメーション部１４、パスタイミング調整部５および等化フィルタ１３は、図１に示した第１の実施形態と同様のものである。また、隣接タイミング追加部１５は、図３に示した第２の実施形態と同様のものである。
【００５８】
図２を用いてこの実施形態における、フィルターのインパルス応答とマルチパスとサンプリングの関係の一例について説明する。
【００５９】
パスタイミング調整部５は、デシメーション部１４によって消失するサンプルのタイミングであるτ1、τ2に対して近くの消失しないタイミングであるτ'1、τ'2を出力する（図２（ｂ））。隣接タイミング追加部１５は、パスサーチ部１からのτ0とパスタイミング調整部５からのτ'1、τ'2に対して、デシメーション後のタイミングにおいて近接するタイミングτ0-、τ0+、τ'1+、τ'2+を追加する（図２（ｃ））。ここで、τ0+とτ'1-、τ'1+とτ'2-は同一タイミングになるため、τ'1-、τ'2-は削除した。
【００６０】
第二の伝送路推定部２L〜２L+M+Nは、調整および追加タイミングにおける伝送路推定を行い、伝送路推定値
【数１６】
2007104502.tif 000018
を算出する。
【００６１】
隣接タイミング追加部１５は、複数パスサンプル法に従ってパスタイミングの近接タイミングを付加する。例えばパスサンプル数Ｎps＝３の場合、１つのパスに対して各々３つの伝送路推定値をウェイト計算に用いるため、パス毎に２つのタイミングが付加される。第二の伝送路推定部２L+1〜２L+Mは、付加タイミングτ'0-、τ'0+、τ'1-、τ'1+、τ'2-、τ'2+で伝送路推定を行った第二の伝送路推定値
【数１７】
2007104502.tif 000019
を出力する。
【００６２】
サイドローブ引き算部１０は、第二の伝送路推定値から、その同一パス以外の第一の補正伝送路推定値を用いて他パスのサイドローブの影響を減算する。式（１１）によって、第二の補正伝送路推定値を出力する。
【数１８】
2007104502.tif 000020
【００６３】
また、等化部１１の等化ウェイト計算部１２は、第一および第二の補正伝送路推定値からデシメーション部で消失しないタイミングの補正伝送路推定値
【数１９】
2007104502.tif 000021
を選択し、デシメーションされたサンプリングに合わせて行列配置し、ウェイト計算を行い、等化フィルタ１３に係数としてセットする。等化ウェイト計算部１２で用いる伝送路行列は、式（１２）のようになる。
【数２０】
2007104502.tif 000022
【００６４】
デシメーション部１４で間引かれた信号を、等化フィルタ１３によって等化し、マルチパスの影響を除去する。
【００６５】
以上の説明により、上記各実施形態を実施することにより、各伝送路推定値から伝送路間相互のサイドローブ成分の漏れ込みを除去する高精度伝送路推定を行うので、データサンプリングレートの低減またはパス検出誤りによって生じる伝送路推定値のパスタイミング位置ずれによる劣化を低減できるという効果を奏する。
【００６６】
なお、本実施形態において、等化部１１はウェイト計算、等化フィルタリングを時間領域の信号処理として行ったが、これに限定されるものではない。例えば、等化部１１は、ウェイト計算および等化フィルタリングを周波数領域の信号処理として行ってもよく、その場合でも本実施形態と同様の効果が得られる。
【００６７】
また、本実施形態では、送受信アンテナが各１本ずつであることを想定した伝送路等化装置を例示したが、この構成に限定されるものではない。他の例として、送受信アンテナのそれぞれが複数ある、ＭＩＭＯ（Multiple Input Multiple Output）方式においても本発明は適用できる。
【００６８】
また、本実施形態のＣＤＭＡ受信装置は、ＣＤＭＡ移動通信システムにおいて基地局無線装置および移動局無線装置のどちらにも適用できる。
【産業上の利用可能性】
【００６９】
本発明の伝送路等化装置を搭載したＣＤＭＡ受信装置などの開発が望まれる。
【図面の簡単な説明】
【００７０】
【図１】本発明の第１の実施形態による伝送路等化装置を示すブロック図である。
【図２】フィルターのインパルス応答とマルチパスとサンプリングの関係の一例を示す模式図である。
【図３】本発明の第２の実施形態による伝送路等化装置を示すブロック図である。
【図４】パスタイミングと複数パスサンプル法の関係の一例を示す模式図である。
【図５】本発明の第３の実施形態による伝送路等化装置を示すブロック図である。
【図６】従来の伝送路推定値補正装置を用いたＣＤＭＡ受信装置の構成の１例を示すブロック図である。
【図７】等化フィルタ１１１の構成例を示す図である。
【符号の説明】
【００７１】
１    パスサーチ部
２i    （第一または第二の）伝送路推定部
３i    パイロット逆拡散部
４i    シンボル平均部
５    パスタイミング調整部
６    第一の伝送路推定値補正部
７    サイドローブ相関行列生成部
８    逆行列演算部
９    デコリレート演算部
１０    サイドローブ引き算部
１１    等化部
１２    等化ウェイト計算部
１３    等化フィルタ
１４    デシメーション部
１５    隣接タイミング追加部
１６    第二の伝送路推定値補正部
【図１】
2007104502.tif 000023
【図２】
2007104502.tif 000024
【図３】
2007104502.tif 000025
【図４】
2007104502.tif 000026
【図５】
2007104502.tif 000027
【図６】
2007104502.tif 000028
【図７】
2007104502.tif 000029